(57)【要約】【課題】  本発明は、表示装置及び表示方法に関し、例えば携帯型のミニディスク装置に適用して、桁数の少ない装置に使用されていた治具を利用して種々に動作を確認することができるようにする。【解決手段】  本発明は、リモートコマンダ２３用のコネクタに接続される機器３９に応じて動作を切り換えて、表示に供するデータの桁数に比して表示可能な桁数が少ない機器３９の場合、入力桁の切り換えに応動して表示部２７Ａに表示する桁を切り換える。【選択図】        図１
2006317488.tif 000002
【特許請求の範囲】
【請求項１】
リモートコマンダを接続するコネクタを介して、前記コネクタに接続された機器における操作子の操作を検出し、
前記操作子の操作に応動して前記コネクタより出力する表示用データを切り換えることにより、前記機器に設けられた表示部の表示を切り換える表示装置において、
前記コネクタに接続された前記機器の識別コードに基づいて、前記コネクタに接続された機器を判定し、
前記機器の前記表示部の表示可能な桁数が、表示に供するデータの桁数と等しい場合、前記機器の桁送りの操作子の操作に応動して入力桁を切り換えると共に、前記機器の入力の操作子の操作に応動して前記入力桁の表示を順次循環的に切り換えるように、前記表示用データを出力して前記表示に供するデータの入力を受け付け、
前記機器の前記表示部の表示可能な桁数が、前記表示に供するデータの桁数より少ない場合、前記機器の桁送りの操作子の操作に応動して前記入力桁を切り換えると共に、前記機器の入力の操作子の操作に応動して前記入力桁の表示を順次循環的に切り換えるようにして、前記入力桁の切り換えに応動して前記表示部に表示する桁を切り換えるように、前記表示用データを出力して前記表示に供するデータの入力を受け付ける
ことを特徴とする表示装置。
【請求項２】
リモートコマンダを接続するコネクタを介して、前記コネクタに接続された機器における操作子の操作を検出し、
前記操作子の操作に応動して前記コネクタより出力する表示用データを切り換えることにより、前記機器に設けられた表示部の表示を切り換える表示方法において、
前記コネクタに接続された前記機器の識別コードに基づいて、前記コネクタに接続された機器を判定し、
前記機器の前記表示部の表示可能な桁数が、表示に供するデータの桁数と等しい場合、前記機器の桁送りの操作子の操作に応動して入力桁を切り換えると共に、前記機器の入力の操作子の操作に応動して前記入力桁の表示を順次循環的に切り換えるように、前記表示用データを出力して前記表示に供するデータの入力を受け付け、
前記機器の前記表示部の表示可能な桁数が、前記表示に供するデータの桁数より少ない場合、前記機器の桁送りの操作子の操作に応動して前記入力桁を切り換えると共に、前記機器の入力の操作子の操作に応動して前記入力桁の表示を順次循環的に切り換えるようにして、前記入力桁の切り換えに応動して前記表示部に表示する桁を切り換えるように、前記表示用データを出力して前記表示に供するデータの入力を受け付ける
ことを特徴とする表示方法。
【発明の詳細な説明】
【技術分野】
【０００１】
本発明は、表示装置及び表示方法に関し、例えば携帯型のミニディスク装置に適用することができる。本発明は、リモートコマンダ用のコネクタに接続される機器に応じて動作を切り換えて、表示に供するデータの桁数に比して表示可能な桁数が少ない機器の場合、入力桁の切り換えに応動して表示部に表示する桁を切り換えることにより、桁数の少ない装置に使用されていた治具を利用して種々に動作を確認することができるようにする。
【背景技術】
【０００２】
従来、ミニディスク装置等の携帯型の音楽再生装置では、例えば特開平５−１４９８７号公報に開示されているように、有線によるリモートコマンダを介して本体装置にイヤホンを接続し、このリモートコマンダに設けられた表示部によりコンテンツを確認して種々に動作を切り換えることができるように構成されている。このような音楽再生装置は、このリモートコマンダを接続する本体装置のコネクタに、リモートコマンダに代えて種々の治具を接続して、工場出荷時の検査等が実行される。
【０００３】
すなわち図５は、ミニディスク装置を示すブロック図である。このミニディスク装置１において、イヤホン２は、リモートコマンダ３を介して本体装置４に接続され、リモートコマンダ３を介して入力されるオーディオ信号を再生する。
【０００４】
リモートコマンダ３において、インターフェース（Ｉ／Ｆ）５は、このリモートコマンダ３に設けられた各種操作子６の操作、リモートコマンダ３の識別コードである機器ＩＤ１８を本体装置４に通知し、また本体装置４から出力される表示用データにより表示部７を駆動する。表示部７は、例えば液晶表示装置により形成され、表示用データによるインターフェース５の駆動により曲番号、曲名等を表示する。
【０００５】
本体装置４は、このリモートコマンダ３より通知される操作子６の操作により、本体装置４に設けられた操作子１０の操作により、動作を切り換え、ミニディスク（ＭＤ）１１を再生してオーディオ信号をリモートコマンダ３に出力する。すなわち本体装置４において、インターフェース（Ｉ／Ｆ）１２は、リモートコマンダ３から通知される操作子６の操作をコントローラ１３に通知し、またコントローラ１３から出力される表示用データをリモートコマンダ３に出力する。再生部１４は、コントローラ１３の制御により動作を切り換え、ミニディスク１１に記録された各種のデータを再生して出力する。信号処理部１５は、この再生部１４で再生される各種のデータを誤り訂正処理等してオーディオデータ、ミニディスク１１の管理用データであるＴＯＣ（Table Of Contents ）のデータを再生する。信号処理部１５は、このオーディオデータをアナログ信号に変換した後、増幅回路により増幅してリモートコマンダ３に出力する。またＴＯＣのデータをコントローラ１３に通知する。
【０００６】
コントローラ１３は、本体装置４の動作を制御する制御手段であり、図示しない記録手段に記憶された処理プログラムの実行により、全体の動作を制御する。すなわちコントローラ１３は、ミニディスク１１の装填が検出されると、再生部１４、信号処理部１５の動作の制御によりミニディスク１１に記録されたＴＯＣのデータを取得し、これによりミニディスク１１に記録された各コンテンツの曲番号、曲名、記録位置等の情報を取得する。またインターフェース１２を介して通知される操作子６の操作に応動して、さらには操作子１０の操作に応動して、この取得した記録位置の情報によりミニディスク１１の再生を指示し、ミニディスク１１に記録されたオーディオ信号を再生してイヤホン２より出力する。またこのようにしてオーディオ信号の再生を開始すると、取得した曲番号、曲名の情報による表示用データをリモートコマンダ３に出力し、リモートコマンダ３の表示部７に曲番号、曲名を表示する。
【０００７】
ここでミニディスク１１は、最大で、９９９個のコンテンツを記録できるようにＴＯＣが定義されており、これにより表示部７には、最大で９９９の曲番号を表示可能に、３桁による曲番号の表示部７Ａが設けられる。また所定文字数による英数字を表示する曲名の表示部７Ｂが設けられ、さらに再生中等を示す各種マークの表示部が設けられる。これによりミニディスク装置１では、曲番号、曲名によりコンテンツを確認できるように構成される。
【０００８】
しかしてコントローラ１３は、リモートコマンダ３の機器ＩＤ１８を事前に取得し、この機器ＩＤによりリモートコマンダ３を識別してリモートコマンダ３による各種操作を受け付け、これによりリモートコマンダ３の誤接続による動作の異常を防止する。またこれによりリモートコマンダ３に代えて、各種治具が接続された場合には、治具に応じて動作を切り換える。
【０００９】
ここでこのような治具には、工場検査用の治具、サービスマン用の治具等とがあり、サービスマン用の治具１９は、機器ＩＤが異なる点を除いてリモートコマンダ３と同一に構成される。
【００１０】
コントローラ１３は、このサービスマン用の治具１９が接続された場合には、この治具１９に設けられた操作子６の所定の操作に応動して、動作確認用の動作モードに動作を切り換える。またさらにこの動作確認用の動作モードにおいて、コントローラ１３は、治具１９に設けられた操作子６の操作に応動してステータス番号の入力を受け付け、このステータス番号により指示されるステータスに全体の動作を切り換え、さらに応答を表示する。ここでステータス番号は、本体装置４の各ステータスに設定された番号であり、これにより本体装置４は、簡易に動作を確認できるように構成される。
【００１１】
ここでこのステータス番号の入力において、コントローラ１３は、治具１９に設けられた２つの押圧操作子６Ａ及び６Ｂにそれぞれ桁送り、数字入力の機能を割り当て、桁送りの機能を割り当てた押圧操作子６Ａの押圧操作に応動して、曲番号の表示部７Ａにおける３桁で順次入力桁を切り換える。また数字入力の機能を割り当てた押圧操作子６Ｂの押圧操作に応動して、この入力桁に表示の数字を順次循環的に増大させる。これによりコントローラ１３は、これら桁送り、数字入力の押圧操作子６Ａ、６Ｂの操作により３桁の数字を曲番号の表示部７Ａに表示し、この３桁の数字によりステータス番号の入力を受け付ける。
【００１２】
これに対して工場検査用の治具は、インターフェース１２に接続可能なコンピュータにより構成され、このコンピュータに設けられた試験用プログラムによりステータス番号が入力される。コントローラ１３は、これによりこの工場検査用の治具が接続された場合には、この試験用プログラムに従ってインターフェース１２から入力されるステータス番号により動作を切り換え、各種の応答をコンピュータに返し、これによりコンピュータにおいて、動作を確認できるようにする。
【００１３】
ところで近年、ミニディスクは、従来に比して記録密度を増大させたものが提供されており、このようなミニディスクでは、９９９個より多くのコンテンツを記録することができる。これによりこのようなミニディスクに係るミニディスク装置では、曲番号の表示部７Ａが、４桁により作成され、この４桁により曲番号を表示できるように構成されている。
【００１４】
このような４桁により曲番号を表示可能なミニディスク装置についても、従来の３桁により曲番号を表示可能なミニディスク装置に使用していたサービスマン用等の治具を使用することができれば、便利であると考えられる。
【特許文献１】特開平５−１４９８７号公報
【発明の開示】
【発明が解決しようとする課題】
【００１５】
本発明は以上の点を考慮してなされたもので、桁数の少ない装置に使用されていた治具を利用して種々に動作を確認することができる表示装置、表示方法を提案しようとするものである。
【課題を解決するための手段】
【００１６】
かかる課題を解決するため請求項１の発明は、リモートコマンダを接続するコネクタを介して、前記コネクタに接続された機器における操作子の操作を検出し、前記操作子の操作に応動して前記コネクタより出力する表示用データを切り換えることにより、前記機器に設けられた表示部の表示を切り換える表示装置に適用して、前記コネクタに接続された前記機器の識別コードに基づいて、前記コネクタに接続された機器を判定し、前記機器の前記表示部の表示可能な桁数が、表示に供するデータの桁数と等しい場合、前記機器の桁送りの操作子の操作に応動して入力桁を切り換えると共に、前記機器の入力の操作子の操作に応動して前記入力桁の表示を順次循環的に切り換えるように、前記表示用データを出力して前記表示に供するデータの入力を受け付け、前記機器の前記表示部の表示可能な桁数が、前記表示に供するデータの桁数より少ない場合、前記機器の桁送りの操作子の操作に応動して前記入力桁を切り換えると共に、前記機器の入力の操作子の操作に応動して前記入力桁の表示を順次循環的に切り換えるようにして、前記入力桁の切り換えに応動して前記表示部に表示する桁を切り換えるように、前記表示用データを出力して前記表示に供するデータの入力を受け付ける。
【００１７】
また請求項２の発明は、リモートコマンダを接続するコネクタを介して、前記コネクタに接続された機器における操作子の操作を検出し、前記操作子の操作に応動して前記コネクタより出力する表示用データを切り換えることにより、前記機器に設けられた表示部の表示を切り換える表示方法に適用して、前記コネクタに接続された前記機器の識別コードに基づいて、前記コネクタに接続された機器を判定し、前記機器の前記表示部の表示可能な桁数が、表示に供するデータの桁数と等しい場合、前記機器の桁送りの操作子の操作に応動して入力桁を切り換えると共に、前記機器の入力の操作子の操作に応動して前記入力桁の表示を順次循環的に切り換えるように、前記表示用データを出力して前記表示に供するデータの入力を受け付け、前記機器の前記表示部の表示可能な桁数が、前記表示に供するデータの桁数より少ない場合、前記機器の桁送りの操作子の操作に応動して前記入力桁を切り換えると共に、前記機器の入力の操作子の操作に応動して前記入力桁の表示を順次循環的に切り換えるようにして、前記入力桁の切り換えに応動して前記表示部に表示する桁を切り換えるように、前記表示用データを出力して前記表示に供するデータの入力を受け付ける。
【００１８】
請求項１の構成により、リモートコマンダを接続するコネクタを介して、前記コネクタに接続された機器における操作子の操作を検出し、前記操作子の操作に応動して前記コネクタより出力する表示用データを切り換えることにより、前記機器に設けられた表示部の表示を切り換える表示装置に適用して、前記コネクタに接続された前記機器の識別コードに基づいて、前記コネクタに接続された機器を判定し、前記機器の前記表示部の表示可能な桁数が、表示に供するデータの桁数と等しい場合、前記機器の桁送りの操作子の操作に応動して入力桁を切り換えると共に、前記機器の入力の操作子の操作に応動して前記入力桁の表示を順次循環的に切り換えるように、前記表示用データを出力して前記表示に供するデータの入力を受け付け、前記機器の前記表示部の表示可能な桁数が、前記表示に供するデータの桁数より少ない場合、前記機器の桁送りの操作子の操作に応動して前記入力桁を切り換えると共に、前記機器の入力の操作子の操作に応動して前記入力桁の表示を順次循環的に切り換えるようにして、前記入力桁の切り換えに応動して前記表示部に表示する桁を切り換えるように、前記表示用データを出力して前記表示に供するデータの入力を受け付けるようにすれば、このコネクタに接続される機器が表示する桁数の少ない装置に適用されていた治具の場合には、入力桁の切り換えに応動して表示部に表示する桁を切り換えて、より多くの桁数によるデータを入力して表示することができ、これにより桁数の少ない装置に使用されていた治具を利用して種々に動作を確認することができる。
【００１９】
これにより請求項２の構成によれば、桁数の少ない装置に使用されていた治具を利用して種々に動作を確認することができる表示装置を提供することができる。
【発明の効果】
【００２０】
本発明によれば、桁数の少ない装置に使用されていた治具を利用して種々に動作を確認することができる。
【発明を実施するための最良の形態】
【００２１】
以下、適宜図面を参照しながら本発明の実施例を詳述する。
【実施例１】
【００２２】
（１）実施例の構成
図１は、本発明の実施例に係るミニディスク装置を示すブロック図である。このミニディスク装置２１は、リモートコマンダ２３の表示部２７、この表示部２７に関連する構成が異なる点を除いて、図５について上述したミニディスク装置１と同一に構成される。これにより図５について上述したミニディスク装置１と同一の構成は、対応する符号を付して示し、重複した説明は省略する。
【００２３】
ここでこのミニディスク装置２１のリモートコマンダ２３は、このリモートコマンダ２３に係る機器ＩＤ２８が設定される。また表示部２７には、４桁による曲番号の表示部２７Ａ、曲名の表示部２７Ｂ、各種マークの表示部が設けられる。これによりリモートコマンダ２３は、この４桁の曲番号の表示部２７Ａに対応するようにインターフェース２５が構成され、またこのインターフェース２５にこの表示部２７Ａに対応する表示用データが入力され、これらにより４桁により曲番号を表示する。
【００２４】
これに対して本体装置２４は、このような４桁による曲番号の表示に対応するようにインターフェース３２が形成される。またコントローラ３３は、図５について上述したコントローラ１３と同様にリモートコマンダ２３からの通知により、又は操作子１０の操作に応動して全体の動作を制御する。この制御において、コントローラ３３は、ミニディスク１１の装填時に検出されるミニディスク１１のＴＯＣのデータにより、ミニディスク１１を判定し、図５について上述した最大で９９９個のコンテンツを記録可能なフォーマットによるミニディスク１１が装填された場合、曲番号の表示部２７Ａの最上位桁を値０に設定すると共に、ミニディスク１１から検出される３桁による曲番号を曲番号の表示部２７Ａの下位側３桁により表示するように、表示用データを生成して出力する。
【００２５】
これに対して装填されたミニディスク１１が、９９９個より多くのコンテンツを記録可能なフォーマットによるミニディスクの場合、ミニディスク１１から検出される４桁による曲番号を曲番号の表示部２７Ａにより表示するように、表示用データを生成して出力する。
【００２６】
これに対してインターフェース３２に治具が接続されると、図２の処理手順の実行により表示部２７の表示モードを切り換える。すなわちコントローラ３３は、インターフェース３２への治具の接続が検出されると、ステップＳＰ１からステップＳＰ２に移る。ここでコントローラ３３は、この治具から機器ＩＤを取得して判定することにより、この治具が図５について上述した３桁の曲番号表示に対応する治具か否か判断する。ここで否定結果が得られると、コントローラ３３は、ステップＳＰ２からステップＳＰ３に移り、ステータス番号に係る処理モードを４桁処理モードに切り換えた後、ステップＳＰ４に移ってこの処理手順を終了する。
【００２７】
ここで４桁処理モードは、治具により入力されるステータス番号を４桁単位で処理する動作モードである。これによりコントローラ３３は、図３に示すように、このミニディスク装置２１に専用のサービスマン用の治具３９が接続された場合には、この４桁処理モードにより、この治具３９に設けられた操作子６の所定の操作に応動して、動作確認用の動作モードに動作を切り換える。また図３（Ａ）に示すように、初期状態で各桁が値０の４桁によるステータス番号を表示すると共に、最上位の桁を入力桁に設定し、数字入力の機能を割り当てた押圧操作子６Ｂの操作に応動してこの入力桁の数字を順次循環的に切り換える（図３（Ｂ））。また桁送りの機能を割り当てた押圧操作子６Ａの操作に応動して入力桁を次の桁に切り換え（図３（Ｃ））、押圧操作子６Ｂの操作に応動してこの入力桁の数字を順次循環的に切り換える（図３（Ｄ））。また同様の桁送りの操作子６Ａ、数字入力の操作子６Ｂの操作に応動して、順次各桁の表示を切り換え（図３（Ｅ）〜（Ｈ））、これにより４桁によるステータス番号の入力を受け付ける。
【００２８】
これに対してこの治具がミニディスク装置２１に専用のコンピュータの場合、インターフェース３２を介して４桁によりステータス番号の入力を受け付ける。
【００２９】
これに対してステップＳＰ３で肯定結果が得られると、コントローラ３３は、ステップＳＰ２からステップＳＰ５に移り、ステータス番号に係る処理モードを３桁処理モードに切り換えた後、ステップＳＰ４に移ってこの処理手順を終了する。
【００３０】
ここで３桁処理モードは、治具により入力されるステータス番号を３桁単位で処理する動作モードである。これによりコントローラ３３は、図４に示すように、このミニディスク装置２１に図５について上述した３桁表示によるサービスマン用の治具１９が接続された場合、この３桁処理モードによりこの治具１９に設けられた操作子６の所定の操作に応動して、動作確認用の動作モードに動作を切り換える。また図４（Ａ）に示すように、各桁が値０の４桁によるステータス番号を初期状態に設定して、この４桁を表示部７Ａの桁数により下位側から区切って余る１桁を表示部７Ａに表示する。なおこの場合、この１桁を表示部７Ａの最下位の桁に割り当て、上位側桁にあっては、何ら番号が割り当てられていないことを示す横棒を表示する。またこの表示部７Ａの最下位の桁を入力桁に設定し、数字入力の機能を割り当てた押圧操作子６Ｂの操作に応動してこの入力桁の数字を順次循環的に切り換える（図４（Ｂ））。
【００３１】
このようにしてコントローラは、４桁にステータス番号の、最も上位の桁の数字の入力を受け付け、桁送りの機能を割り当てた押圧操作子６Ａの操作に応動して入力桁を次の桁に切り換え、またこの入力桁の切り換えに連動して、表示部７Ａの表示を下位側３桁の表示に切り換える（図４（Ｃ））。またこの状態で、数字入力の押圧操作子６Ｂの操作に応動してこの入力桁の数字を順次循環的に切り換え（図４（Ｄ））、これにより次の桁の入力を受け付ける。また続いて桁送りの操作子６Ａの操作により入力桁を下位側に切り換え（図４（Ｅ））、数字入力の操作子６Ｂの操作に応動して、続く３桁目の入力を受け付け（図４（Ｆ））、同様の桁送り、数字入力の繰り返しにより４桁によるステータス番号の入力を受け付ける（図４（Ｇ）及び（Ｈ））。
【００３２】
これに対してこの治具が、図５について上述したミニディスク装置１に専用のコンピュータの場合、インターフェース３２を介して３桁による入力データを繰り返し入力し、この繰り返しの入力データより４桁のデータを取得してステータス番号の入力を受け付ける。また図４の表示部における駆動に対応するように、３桁による表示用データの繰り返しにより４桁によるステータス番号の応答を返す。
【００３３】
（２）実施例の動作
以上の構成において、このミニディスク装置２１では（図１）、ミニディスク１１の装填によりミニディスク１１に記録されたＴＯＣのデータが再生部１４、信号処理部１５により再生されてコントローラ３３に通知され、これによりミニディスク１１に記録された各コンテンツの曲番号、曲名、記録位置等の情報がコントローラ３３により取得される。またリモートコマンダ２３の操作により、操作子１０の操作により、このコントローラ３３により取得された記録位置の位置情報により、ミニディスク１１に記録されたオーディオデータが再生部１４、信号処理部１５により再生されてアナログ信号によるオーディオ信号に変換され、このオーディオ信号によりリモートコマンダ２３を介してイヤホン２が駆動される。これによりこのミニディスク装置２１では、ミニディスク１１に記録されたオーディオ信号を聴取することができる。
【００３４】
ミニディスク装置２１では、このようにしてミニディスク１１に記録されたコンテンツをユーザーに提供するようにして、このユーザーに提供するコンテンツの曲番号、曲名による表示用データがコントローラ３３により生成され、この表示用データによりリモートコマンダ２３の表示部２７が駆動され、これによりこのユーザーに提供するコンテンツの曲番号、曲名が表示部２７に表示される。これによりユーザーにおいては、この表示部２７の表示を確認して所望するコンテンツを楽しむことができる。
【００３５】
これに対してこのミニディスク装置２１に専用のサービスマン用の治具が接続されると、ミニディスク装置２１では、コントローラ３３によりこの治具の機器ＩＤが取得されて判定され、これによりこの治具が３桁による曲番号の表示に対応する従来のミニディスク装置１用の治具１９か、４桁による曲番号の表示に対応するこのミニディスク装置２１用の治具３９か判定される（図２）。
【００３６】
ここでこの治具が、４桁による曲番号の表示に対応するこのミニディスク装置２１用の治具３９の場合、このミニディスク装置２１におけるステータス番号の桁数とこの治具３９の曲番号に係る表示部２７Ａの桁数が等しいことにより、このミニディスク装置２１では、この治具３９の桁送りの操作子６Ｂの操作に応動して入力桁を切り換えると共に、この治具３９の入力の操作子６Ａの操作に応動して入力桁の表示を順次循環的に切り換えるように、コントローラ３３により表示用データが出力され、ステータス番号によるデータが４桁の表示部３７Ａにより表示されてステータス番号の入力が受け付けられる（図３）。
【００３７】
このミニディスク装置２１では、このステータス番号の入力に対応するように、本体装置２４のステータスがコントローラ３３により切り換えられ、またこの応答が治具３９に返されて表示部２７で表示され、これにより治具３９の操作により本体装置２４を種々に試験することができる。
【００３８】
これに対して接続された治具が、３桁による曲番号の表示に対応する従来のミニディスク装置１用の治具１９の場合（図５）、同様にして、この治具１９の桁送りの操作子６Ｂの操作に応動して入力桁を切り換えると共に、この治具１９の入力の操作子６Ａの操作に応動して入力桁の表示を順次循環的に切り換えるように、コントローラ３３により表示用データが出力され、ステータス番号の入力が受け付けられる（図４）。
【００３９】
しかしながらこの場合、曲番号の表示部７Ａで表示するステータス番号のデータが４桁であり、この桁数に比して表示部７Ａの桁数が少ないことにより、このように順次入力桁を切り換えてステータス番号の表示を切り換える際に、ミニディスク装置２１では、入力桁の切り換えに応動して表示部２７Ａに表示する桁が切り換えられ、これにより表示に供するステータス番号の入力が受け付けられる。すなわち最初の１桁を入力して、続く２桁目に入力桁を切り換える場合に、ステータス番号の末尾側３桁の表示に表示部７Ａの表示が切り換えられる。
【００４０】
これによりこのミニディスク装置２１では、表示に供するデータの桁数に比して表示可能な桁数が少ない機器が接続された場合であっても、ステータス番号を目視により確認しながら動作を確認することができ、これにより桁数の少ない装置に使用されていた治具を利用して種々に動作を確認することができる。
（３）実施例の効果
以上の構成によれば、リモートコマンダ用のコネクタに接続される機器に応じて動作を切り換えて、表示に供するデータの桁数に比して表示可能な桁数が少ない機器の場合、入力桁の切り換えに応動して表示部に表示する桁を切り換えることにより、桁数の少ない装置に使用されていた治具を利用して種々に動作を確認することができる。
【実施例２】
【００４１】
なお上述の実施例においては、３桁表示のリモートコマンダに対応する治具を４桁表示に係るミニディスク装置に適用可能とする場合について述べたが、本発明はこれに限らず、種々の桁数による治具、装置に関して広く適用することができる。
【００４２】
また上述の実施例においては、本発明をミニディスクによる音楽再生装置に適用する場合について述べたが、本発明はこれに限らず、メモリカード、ハードディスク装置等、種々の記録媒体による音楽再生等に広く適用することができる。
【産業上の利用可能性】
【００４３】
本発明は、表示装置及び表示方法に関し、例えば携帯型のミニディスク装置に適用することができる。
【図面の簡単な説明】
【００４４】
【図１】本発明の実施例に係るミニディスク装置を示すブロック図である。
【図２】図１のミニディスクにおけるコントローラの処理手順を示すフローチャートである。
【図３】図２の処理による４桁による表示例を示す略線図である。
【図４】図２の処理による３桁による表示例を示す略線図である。
【図５】従来のミニディスク装置を示すブロック図である。
【符号の説明】
【００４５】
１、２１……ミニディスク装置、２……イヤホン、３、２３……リモートコマンダ、４、２４……本体装置、７、２７……表示部、１１……ミニディスク、１３、３３……コントローラ、１８、２８……機器ＩＤ
【図１】
2006317488.tif 000003
【図２】
2006317488.tif 000004
【図３】
2006317488.tif 000005
【図４】
2006317488.tif 000006
【図５】
2006317488.tif 000007